(57)【要約】【課題】乗客コンベアのサイズやレイアウトに拘わらず、乗降口付近を照明して乗降口で乗り降りする乗客に対して注意喚起を行えるようにする。【解決手段】欄干８の乗降口付近に「照明モード」と「操作モード」の２つの動作モードを有する液晶ディスプレイ１０を設置し、エスカレータの通常運転時はこの液晶ディスプレイ１０を「照明モード」で動作させて乗降口付近を照明する照明装置として機能させ、エスカレータの運転操作が必要なときは、液晶ディスプレイ１０を「操作モード」で動作させて各種操作スイッチを集めた操作盤として機能させる。【選択図】図１
2009190864.tif 000002
【特許請求の範囲】
【請求項１】
無端状に連結されて一方の乗降口と他方の乗降口との間を循環移動する複数の踏段と、
前記複数の踏段の移動経路に沿って立設された欄干と、
タッチパネル及び当該タッチパネルを照明する光源を有し、前記欄干の乗降口付近に設置された液晶ディスプレイとを備え、
前記液晶ディスプレイは、前記光源により前記乗降口付近を照明する照明モードと、前記タッチパネルに少なくとも乗客コンベアを起動させる起動ボタンと乗客コンベアを停止又は減速させる停止ボタンとを含む複数の操作ボタンを表示する操作モードとの２つの動作モードを有することを特徴とする乗客コンベア。
【請求項２】
前記液晶ディスプレイは、前記照明モードで動作しているときは、前記操作モードで動作しているときに比べて前記光源の照度が高められることを特徴とする請求項１に記載の乗客コンベア。
【請求項３】
前記液晶ディスプレイは、前記照明モードで動作しているときに、前記光源による照明の色調を乗客コンベアの運転状態に応じて変化させることを特徴とする請求項１又は２に記載の乗客コンベア。
【請求項４】
前記液晶ディスプレイは、前記照明モードで動作しているときに、前記タッチパネルの所定の位置に、乗客コンベアを緊急停止させるための非常停止ボタンを表示することを特徴とする請求項１乃至３のいずれか一項に記載の乗客コンベア。
【請求項５】
前記液晶ディスプレイのタッチパネル上に、前記照明モードで動作しているときに前記非常停止ボタンが表示される領域を覆うように透明樹脂押し破りカバーが配設されていることを特徴とする請求項４に記載の乗客コンベア。
【請求項６】
前記液晶ディスプレイは、乗客コンベアの停止中で動作を停止しているとき又は乗客コンベアの運転中で前記照明モードで動作しているときに、前記タッチパネルを所定時間以上押圧する操作を検知したときに、前記操作モードによる動作を開始することを特徴とする請求項１乃至５のいずれか一項に記載の乗客コンベア。
【請求項７】
前記液晶ディスプレイは、前記操作モードによる動作を開始した後、前記複数の操作ボタンを所定の順序で押圧する操作があるか否かにより操作者が正規の操作者か否かを判断し、正規の操作者であると判断した場合はその後の前記複数の操作ボタンによる操作入力を受け付ける共に、正規の操作者でないと判断した場合は前記操作モードによる動作を終了することを特徴とする請求項６に記載の乗客コンベア。
【発明の詳細な説明】
【技術分野】
【０００１】
本発明は、エスカレータや動く歩道等の乗客コンベアに関する。
【背景技術】
【０００２】
エスカレータや動く歩道等の乗客コンベアは、無端状に連結された複数の踏段を一方の乗降口と他方の乗降口との間で循環移動させて、踏段上の乗客を一方の乗降口から他方の乗降口へと搬送するものである。この種の乗客コンベアでは、乗降口で乗り降りする乗客に対して注意を促すために、踏段の移動経路に沿って立設された欄干のスカートガード部などに照明装置を設置して、乗降口付近を照明することも行われている（例えば、特許文献１参照。）。
【特許文献１】特開２００１−９７６５９号公報
【発明の開示】
【発明が解決しようとする課題】
【０００３】
しかしながら、欄干のスカートガード部には、通常、乗客コンベアの管理者や保守作業員などの操作者が乗客コンベアの起動や停止、運転方向の指定、ブザー鳴動などの操作を行うための各種の操作スイッチを集めた操作盤が設置されており、特に、この操作盤は、操作者が各種の操作スイッチを操作し易いように、乗降口付近に設けられることが多い。
【０００４】
このため、乗客コンベアのサイズやレイアウトによっては、欄干のスカートガード部の乗降口付近は操作盤の設置によってスペースが大きく占有されて、乗降口付近を照明するための照明装置を設置できず、乗客に対して乗り降りの際の注意喚起を行えない場合があった。
【０００５】
本発明は、以上のような従来の実情に鑑みて創案されたものであって、サイズやレイアウトに拘わらず、乗降口付近を照明して乗降口で乗り降りする乗客に対して注意喚起を行うことができる乗客コンベアを提供することを目的としている。
【課題を解決するための手段】
【０００６】
本発明に係る乗客コンベアは、無端状に連結されて一方の乗降口と他方の乗降口との間を循環移動する複数の踏段と、この複数の踏段の移動経路に沿って立設された欄干と、タッチパネル及び当該タッチパネルを照明する光源を有し、欄干の乗降口付近に設置された液晶ディスプレイとを備える。そして、欄干の乗降口付近に設置された液晶ディスプレイが、タッチパネルを照明する光源により乗降口付近を照明する照明モードと、タッチパネルに少なくとも乗客コンベアを起動させる起動ボタンと乗客コンベアを停止又は減速させる停止ボタンとを含む複数の操作ボタンを表示する操作モードとの２つの動作モードを有する。
【発明の効果】
【０００７】
本発明に係る乗客コンベアによれば、欄干の乗降口付近に設置された液晶ディスプレイが照明モードと操作モードとの２つの動作モードを有し、この液晶ディスプレイによって照明装置としての機能と操作盤としての機能との双方が実現されるので、乗客コンベアのサイズやレイアウトに拘わらず、乗降口付近を照明して乗降口で乗り降りする乗客に対して注意喚起を行うことができる。
【発明を実施するための最良の形態】
【０００８】
以下、本発明の一実施形態を図面を参照しながら詳細に説明する。なお、以下では本発明を適用した乗客コンベアの例として、多数の踏段が連続して階段状に上下に移動することで乗客を上下階に亘って搬送するエスカレータを例示するが、本発明は、多数の踏段が連続して水平に移動することで乗客を搬送する動く歩道（オートロード）に対しても有効に適用可能である。
【０００９】
図１は、本発明を適用したエスカレータの全体構成を示す模式図である。
【００１０】
本発明を適用したエスカレータは、図１に示すように、上階と下階とに跨って支持金具を介して建造物に固定支持された主枠１を備える。この主枠１の上階側には機械室が設けられており、この機械室内に図示しない駆動装置や、この駆動装置によって回転操作される駆動スプロケット２、エスカレータの動作を制御するエスカレータ制御盤３などが配設されている。また、主枠１の下階側にも機械室が設けられており、この下階側の機械室内には、上階側の駆動スプロケット２と対をなす従動スプロケット４が配設されている。そして、上階側の駆動スプロケット２と下階側の従動スプロケット４とに亘って、多数の踏段５を等間隔で連結した無端状の踏段チェーン６が巻き掛けられている。
【００１１】
各踏段５にはその前後に前輪及び後輪が設けられており、これら前輪及び後輪が主枠１内に設けられた図示しないガイドレール上に支持されている。そして、エスカレータ制御盤３の制御のもとで駆動装置が駆動スプロケット２を回転操作して踏段チェーン６が駆動されると、この踏段チェーン６の動きに連動して、多数の踏段５がガイドレールに案内されながら上階と下階との間を循環移動するようになっている。
【００１２】
上階側及び下階側の踏段５が反転する位置の近傍は、乗客が乗り降りする乗降口となり、これら上階側及び下階側の乗降口には乗降板７が設置されている。また、主枠１の幅方向両側には、多数の踏段５の移動経路に沿ってスカートガード８ａと欄干パネル８ｂとからなる欄干８が立設されており、欄干パネル８ｂの周囲には、多数の踏段５と同期して循環移動する手摺ベルト９が装着されている。また、欄干８のスカートガード８ｂには、上階側及び下階側の乗降口付近の位置に液晶ディスプレイ１０が設置されている。
【００１３】
図２は、液晶ディスプレイ１０の構成を示すブロック図であり、図３及び図４は、液晶ディスプレイ１０が設置された乗降口付近のスカートガード８ａを拡大して示す図である。
【００１４】
液晶ディスプレイ１０は、図２に示すように、タッチセンサ１１ａと液晶パネル１１ｂとが一体化されてなるタッチパネル１１と、このタッチパネル１１を照明するバックライト（光源）１２と、タッチパネル１１及びバックライト１２の動作を制御するコントローラ１３とを備えて構成される。コントローラ１３は、電気配線によりエスカレータ制御盤３に接続されており、エスカレータ制御盤３との間で信号伝送が行えるようになっている。このように構成された液晶ディスプレイ１０は、図３及び図４に示すように、乗降口付近のスカートガード８ａに形成された開口部８ｃからタッチパネル１１を乗降板７側に臨ませるようにして、スカートガード８ａの内部に配設されている。
【００１５】
この液晶ディスプレイ１０は、コントローラ１３により動作制御される動作モードとして、「照明モード」と「操作モード」との２つの動作モードを有している。「照明モード」は、バックライト１２の照度を高めてバックライト１２により乗降口付近を照明する動作モードである。「操作モード」は、図３に示すように、エスカレータを上昇運転で起動させるＵＰ運転ボタン１４ａやエスカレータを下降運転で起動させるＤＮ運転ボタン１４ｂ（起動ボタン）、エスカレータの運転を停止又は減速させる停止ボタン１４ｃ、ブザーを鳴動させるブザーボタン１４ｄの各種操作ボタンをタッチパネル１１に表示して、エスカレータの管理者や保守作業員などの操作者による操作ボタンの操作入力を受け付ける動作モードである。
【００１６】
エスカレータが動作中、液晶ディスプレイ１０は、通常は「照明モード」で動作しており、コントローラ１３の制御によってバックライト１２の照度が「操作モード」時よりも高められて、この照度が高められたバックライト１２により乗降口付近を照明している。これにより、エスカレータの乗客に対して乗り降りの際の注意を喚起することができ、安全性が向上する。なお、コントローラ１３は、液晶ディスプレイ１０を「照明モード」で動作させているとき、エスカレータ制御盤１０からの信号に基づいてエスカレータの運転状態を判断し、バックライト１２による照明の色調をエスカレータの運転状態に応じて変化させるようにしてもよい。例えば、エスカレータが上昇運転しているときと下降運転しているときとでバックライト１２の光源の発光色を変化させたたり、また、混雑する時間帯にはバックライト１２の光源を黄色などの目立つ色で発光、或いは点滅させたりすることが可能である。これにより、エスカレータの乗降口の位置や運転方向などを乗客に対してより的確に伝えて、乗客が乗り降りする際の安全性をさらに向上させることができる。
【００１７】
また、液晶ディスプレイ１０を「照明モード」で動作させている間、コントローラ１３は、図４に示すように、タッチパネル１１の所定の位置にエスカレータを緊急停止させるための非常停止ボタン１５を表示させる。そして、このタッチパネル１１上の非常停止ボタン１５の押圧操作が検知されると、コントローラ１３からエスカレータ制御盤３に対して非常停止信号を伝送し、エスカレータを緊急停止させる。なお、液晶ディスプレイ１０のタッチパネル１１上には、「照明モード」時に非常停止ボタン１５が表示される領域を覆うように透明樹脂押し破りカバー１６が配設されており、例えば乗客の足先などが非常停止ボタン１５に触れることによってエスカレータが緊急停止してしまうといった不都合を防止している。
【００１８】
エスカレータが停止している間は液晶ディスプレイ１０も動作を停止するが、液晶ディスプレイ１０には動作停止中にも微小な待機電力が供給されており、タッチパネル１１を所定時間以上押圧する操作が行われると、液晶ディスプレイ１０はこれを検知して起動し、「操作モード」による動作を開始する。また、エスカレータが運転中で液晶ディスプレイ１０が「照明モード」で動作しているときに、タッチパネル１１を所定時間以上押圧する操作を検知すると、コントローラ１３が動作モードを「照明モード」から「操作モード」に切り換えて、「操作モード」による動作を開始する。
【００１９】
液晶ディスプレイ１０が「操作モード」による動作を開始すると、コントローラ１３は、図３に示したように、タッチパネル１１にＵＰ運転ボタン１４ａ、ＤＮ運転ボタン１４ｂ、停止ボタン１４ｃ、ブザーボタン１４ｄの各操作ボタンを表示させる。そして、まず、操作者が正規の操作者であるか否かを判断するための認証処理を行う。具体的には、例えば、起動後の所定時間の間に、タッチパネル１１に表示している各種操作ボタン１４ａ，１４ｂ，１４ｃ，１４ｄを事前に登録した所定の順序で押圧する操作が検知されれば操作者が正規の操作者であると判断し、各種操作ボタン１４ａ，１４ｂ，１４ｃ，１４ｄを所定の順序で押圧する操作がないまま所定時間が経過した場合は正規の操作者でないと判断する。
【００２０】
そして、コントローラ１３は、操作者が正規の操作者であると判断した場合は、その後、各種操作ボタン１４ａ，１４ｂ，１４ｃ，１４ｄを有効にし、押圧操作された操作ボタンに応じた信号をエスカレータ制御盤３に伝送する。具体的には、ＵＰ運転ボタン１４ａの押圧操作が検知されると、エスカレータ制御盤３にＵＰ運転信号を伝送してエスカレータを上昇運転で起動させる。また、ＤＮ運転ボタン１４ｂの押圧操作が検知されると、エスカレータ制御盤３にＤＮ運転信号を伝送してエスカレータを下降運転で起動させる。また、停止ボタン１４ｃの押圧操作が検知されると、エスカレータ制御盤３に停止信号を伝送して運転中のエスカレータを停止させる。また、ブザーボタン１４ｄの押圧操作が検知されると、エスカレータ制御盤３にブザー鳴動信号を伝送してブザーを鳴動させる。一方、操作者が正規の操作者ではないと判断した場合は、コントローラ１３は「操作モード」による動作を終了して、エスカレータが運転中であれば運転モードを「照明モード」に切り換え、エスカレータが停止中であれば液晶ディスプレイ１０の動作を停止する。
【００２１】
図５は、液晶ディスプレイ１０のコントローラ１３による処理の流れを示すフローチャートである。なお、この図５に示す処理フローは、液晶ディスプレイ１０の動作停止中にタッチパネル１１を所定時間Ｔ１以上押圧する操作が行われたときにスタートする。
【００２２】
図５の処理フローがスタートすると、液晶ディスプレイ１０のコントローラ１３は、まずステップＳ１において、「操作モード」での動作制御を開始して、タッチパネル１１にＵＰ運転ボタン１４ａ、ＤＮ運転ボタン１４ｂ、停止ボタン１４ｃ、ブザーボタン１４ｄの各操作ボタンを表示させる。そして、コントローラ１３は、ステップＳ２において、タッチパネル１１に表示している各種操作ボタン１４ａ，１４ｂ，１４ｃ，１４ｄを所定の順序で押圧する操作がなされたかどうかを判定し、各種操作ボタン１４ａ，１４ｂ，１４ｃ，１４ｄを所定の順序で押圧する操作を検知した場合には、操作者が正規の操作者であると判断して、ステップＳ３において、タッチパネル１１に表示している各種操作ボタン１４ａ，１４ｂ，１４ｃ，１４ｄを有効にして入力待ちの状態となる。一方、各種操作ボタン１４ａ，１４ｂ，１４ｃ，１４ｄを所定の順序で押圧する操作を検知することなく所定時間Ｔ２が経過した場合には（ステップＳ４でＹＥＳの判定）、操作者が正規の操作者でないと判断して処理を終了し、液晶ディスプレイ１０の動作を停止させる。
【００２３】
次に、コントローラ１３は、ステップＳ５において、タッチパネル１１に表示している各種操作ボタン１４ａ，１４ｂ，１４ｃ，１４ｄの押圧操作があるかどうかを判定し、操作ボタンの押圧操作を検知したら、ステップＳ６において、押圧操作された操作ボタンに応じた信号をエスカレータ制御盤３に伝送する。その後、コントローラ１３は所定時間Ｔ３の間は入力待ちの状態を継続し、操作ボタンの押圧操作を検知しないまま所定時間Ｔ３が経過すると（ステップＳ７でＹＥＳの判定）、次のステップＳ８に移行する。
【００２４】
ステップＳ８では、コントローラ１３は、エスカレータが運転状態に移行しているかどうか、すなわち、ステップＳ５でＵＰ運転ボタン１４ａ又はＤＮ運転ボタン１４ｂの押圧操作を検知して、ステップＳ６でＵＰ運転信号又はＤＮ運転信号をエスカレータ制御盤３に伝送しているかどうかを判定する。ここで、エスカレータが運転状態に移行していない場合、つまり、操作者による操作ボタンの押圧操作がエスカレータの起動を指示するものではない場合や、操作者により操作ボタンが押圧操作されていない場合には、コントローラ１３は処理を終了して、液晶ディスプレイ１０の動作を停止させる。
【００２５】
一方、エスカレータが運転状態に移行していると判断した場合には、コントローラ１３は、液晶ディスプレイ１０の動作モードを「操作モード」から「照明モード」に切り換えて、「照明モード」による動作制御を開始する。すなわち、コントローラ１３は、ステップＳ９において、バックライト１２の照度を「操作モード」時よりも高めて（例えば照度最大）、このバックライト１２により乗降口付近を照明させるとともに、ステップＳ１０において、タッチパネル１１に非常停止ボタン１５を表示させる。
【００２６】
そして、コントローラ１３は、液晶ディスプレイ１０を「照明モード」で動作させている間、タッチパネル１１を所定時間Ｔ１以上押圧する操作があるかどうかを常に監視し、「証明モード」での動作時にタッチパネル１１を所定時間Ｔ１以上押圧する操作を検知したら（ステップＳ１１でＹＥＳの判定）、液晶ディスプレイ１０の動作モードを「照明モード」から「操作モード」に切り換えて、ステップＳ１に戻って「操作モード」での動作制御を開始する。また、コントローラ１３は、液晶ディスプレイ１０を「照明モード」で動作させている間、タッチパネル１１に表示している非常停止ボタン１５の押圧操作があるかどうかを常に監視し、非常停止ボタン１５の押圧操作を検知したら（ステップＳ１２でＹＥＳの判定）、ステップＳ１３において、エスカレータ制御盤３に対して非常停止信号を伝送してエスカレータを緊急停止させた後、処理を終了して液晶ディスプレイ１０の動作を停止させる。
【００２７】
以上、具体的な例を挙げながら詳細に説明したように、本実施形態のエスカレータによれば、乗降口付近に設置された液晶ディスプレイ１０が「照明モード」と「操作モード」の２つの動作モードを有し、「照明モード」で動作しているときは乗降口付近を照明する照明装置として機能し、「操作モード」で動作しているときはエスカレータの管理者や保守作業員などが操作する各種操作スイッチを集めた操作盤として機能するので、エスカレータのサイズやレイアウトによる制約により照明装置の設置スペースを確保することが難しい場合であっても、乗降口付近を液晶ディスプレイ１０により照明して、乗降口で乗り降りする乗客に対して適切に注意喚起を行うことができる。
【００２８】
また、操作盤に集約する各種操作スイッチを、液晶ディスプレイ１０のタッチパネル１１上の各種操作ボタン１４ａ，１４ｂ，１４ｃ，１４ｄで代替するようにしているので、キーレスによる操作を実現することができ、キーの保管や管理などの煩雑な手間を不要にすることができる。
【００２９】
また、液晶ディスプレイ１０は、「照明モード」動作時にはバックライト１２の照度を「操作モード」動作時よりも高めるようにしているので、乗降口付近を明るく照らして乗客の乗り降りを補助することができ、さらに、エスカレータの運転状態に応じてバックライト１２による照明の色調を変化させるようにすれば、乗降口の位置や運転方向などをより的確に伝えて、乗り降りの際の安全性をさらに向上させることができる。
【００３０】
また、液晶ディスプレイ１０は、「照明モード」動作時にエスカレータを緊急停止させるための非常停止ボタン１５をタッチパネル１１上に表示するようにしているので、緊急停止用の非常停止スイッチを別途設置する必要がなく、部品設置スペースのさらなる省スペース化できるとともに、美観の向上を図ることができる。また、タッチパネル１１上の非常停止ボタン１５を表示する位置には透明樹脂押し破りカバー１６を配設するようにしているので、例えば乗客の足先などが非常停止ボタン１５に触れることによってエスカレータが不用意に緊急停止してしまうといった不都合を有効に防止することができる。なお、透明樹脂押し破りカバー１６は、非常停止ボタン１５を押圧操作する際に破壊されるが、エスカレータを緊急停止させた後、再起動する前に新しい部品と交換するようにすればよい。
【００３１】
また、液晶ディスプレイ１０は、「操作モード」による動作を開始した後、タッチパネル１１に表示されている各種操作ボタン１４ａ，１４ｂ，１４ｃ，１４ｄを予め登録しておいた所定の順序で押圧する操作があるか否かにより、操作者が正規の操作者であるか否かを判断する認証処理を行うようにしているので、いたずらや誤作動などでエスカレータの運転操作が行われる不都合を有効に防止することができる。
【００３２】
なお、以上説明した実施形態は、本発明の一適用例を具体的に説明したものであり、本発明の技術的範囲は、以上の実施形態の説明で開示した技術事項に限定されるものではなく、以上の開示内容をもとに一般的な技術常識も鑑みて当然に導かれる変形例、応用例も含まれるものである。例えば、以上説明した実施形態では、液晶ディスプレイ１０が「操作モード」による動作を開始する条件として、タッチパネル１１を所定時間以上に亘って押圧する操作を検知することを例示しているが、液晶ディスプレイ１０に専用のスイッチを設け、このスイッチが操作されたときに「操作モード」による動作を開始させるようにしてもよい。
【図面の簡単な説明】
【００３３】
【図１】本発明を適用したエスカレータの全体構成を示す模式図。
【図２】液晶ディスプレイの構成を示すブロック図。
【図３】液晶ディスプレイが設置された乗降口付近のスカートガードを拡大して示す図であり、液晶ディスプレイが「操作モード」のときのタッチパネルの表示例を示す図。
【図４】液晶ディスプレイが設置された乗降口付近のスカートガードを拡大して示す図であり、（ａ）は液晶ディスプレイが「照明モード」のときのタッチパネルの表示例を示す図、（ｂ）は（ａ）におけるＡ−Ａ断面図。
【図５】液晶ディスプレイのコントローラにより実行される一連の処理の流れを示すフローチャート。
【符号の説明】
【００３４】
３  エスカレータ制御盤
５  踏段
８  欄干
８ａ  スカートガード
１０  液晶ディスプレイ
１１  タッチパネル
１２  バックライト
１３  コントローラ
１４ａ  ＵＰ運転ボタン
１４ｂ  ＤＮ運転ボタン
１４ｃ  停止ボタン
１４ｄ  ブザーボタン
１５  非常停止ボタン
１６  透明樹脂押し破りカバー
【図１】
2009190864.tif 000003
【図２】
2009190864.tif 000004
【図３】
2009190864.tif 000005
【図４】
2009190864.tif 000006
【図５】
2009190864.tif 000007